(57)【特許請求の範囲】
【請求項１】
用紙搬送路に沿って搬送される用紙に画像記録処理を行なう画像記録装置に用いられるフレーム構造体であって、
用紙を収容する給紙カセットの一部をぴったりと受け入れるように形成される空間であって前記用紙搬送路に連続するとともに上方に開放した第１の空間を画定する第１のフレーム部と、
前記第１の空間を選択的に閉塞するための蓋部材を回動自在に支持するように構成され、かつ、前記第１のフレームに接続された第１の支持部と、
前記第１の空間から上部排出口までの間に略Ｕ字状に配置される用紙搬送路を画定する第２のフレーム部と、
前記第１の空間と前記上部排出口の間に設けられており、給紙されるべき用紙と排出された用紙とを仕切るための仕切り部材を回動自在に支持するように構成された第２の支持部と、
を備えており、
前記第１の支持部は、前記第１の空間内に張り出さないように構成されることを特徴とする画像記録装置のフレーム構造体。
【請求項２】
用紙搬送路に沿って搬送される用紙に画像記録処理を行なう画像記録装置であって、
請求項１に記載の画像記録装置のフレーム構造体と、
前記第１の支持部に回動自在に支持されており、前記第１の空間を閉塞する第１の位置および前記第１の空間を開放しつつ前記第１の空間に置かれた用紙を下から支持する第２の位置の間で移動自在になるように構成された前記蓋部材と、
前記第２の位置に配置された前記蓋部材に置かれた用紙を、前記用紙搬送路に沿って搬送するように構成された用紙搬送機構と、
を備えたことを特徴とする画像記録装置。
【請求項３】
前記蓋部材および前記仕切り部材が前記フレーム構造体に対して着脱自在になるように、前記フレーム構造体が弾性体によって構成されることを特徴とする請求項２に記載の画像記録装置。
【請求項４】
前記フレーム構造体は、上部に設けられた原稿挿入口を始点とする原稿搬送路を画定する第３のフレーム部をさらに備えており、
前記蓋部材は、前記第１の位置に配置された時に、前記第１の空間および前記原稿挿入口の両方を覆うように構成されることを特徴とする請求項２または３に記載の画像記録装置。
【発明の詳細な説明】
【技術分野】
【０００１】
本発明は、用紙搬送路に沿って搬送される用紙に対して画像記録処理を行なう画像記録装置に用いられるフレーム構造体、およびこれを備えた画像記録装置に関する。
【背景技術】
【０００２】
図１（Ａ）および図１（Ｂ）を用いて、従来の画像記録装置に適用される用紙トレイを説明する。画像記録装置の例として、ファクシミリ装置、インクジェットプリンタ等が挙げられる。ここでは、従来のファクシミリ装置の構成を示すことにより、従来の画像記録装置を説明する。図１（Ａ）は、用紙トレイ２０１Ａが固着されたファクシミリ装置２００Ａを示している。用紙トレイ２０１Ａは、ファクシミリ装置２００Ａで使用される最大サイズの用紙を安定的に保持できるように構成されている。図１（Ｂ）は、用紙トレイ２０１Ｂが着脱自在に取り付けるファクシミリ装置２００Ｂを示している。上述と同様、用紙トレイ２０１Ｂは、ファクシミリ装置２００Ｂで使用される最大サイズの用紙を安定的に保持できるように構成されている。このため、用紙トレイ２０１Ａまたは用紙トレイ２０１Ｂがあれば、予め多くの用紙をセットしても用紙を安定して画像記録装置内に供給することが可能になる。
【０００３】
ところが、ファクシミリ装置では、コンパクト化の要請が高まっている。特に、画像記録処理を行なう頻度が少ないファクシミリ装置では、なるべく不使用時に場所をとらないことが課題となっている。
【０００４】
そこで、従来技術の中には、開放状態において用紙載置台を形成し、かつ閉鎖状態において装置本体の上部を覆うカバーとして機能するファクシミリ装置が登場している（例えば、特許文献１参照。）。このファクシミリ装置の構成によれば、不使用時に用紙トレイが装置本体の外側に張り出さないため、不使用時におけるファクシミリ装置がコンパクト化している。
【特許文献１】特開２００１−９７５６０号公報
【発明の開示】
【発明が解決しようとする課題】
【０００５】
しかしながら、コンパクトな用紙トレイは、用紙を安定して保持する能力が低くなる傾向がある。そのため、画像記録処理を行なう頻度が高いユーザや一度に多くの画像記録を行なう機会の多いユーザには、図１（Ａ）または図１（Ｂ）に示すような比較的大きな用紙トレイを備えたファクシミリ装置を好まれている。
【０００６】
以上のような背景により、ファクシミリ装置を提供する業者では、装置のコンパクト化に適したフレーム構造体および比較的大きな用紙トレイの装着に適したフレーム構造体を、それぞれ別個に設計し製作する必要があった。
【０００７】
本発明の目的は、装置のコンパクト化に適し、しかも比較的大きな用紙トレイの装着にも適したフレーム構造体およびこれを備えた画像記録装置を提供することである。
【課題を解決するための手段】
【０００８】
（１）本発明に係るフレーム構造体は、用紙搬送路に沿って搬送される用紙に画像記録処理を行なう画像記録装置に用いられるフレーム構造体である。画像記録装置の代表例として、ファクシミリ装置やインクジェットプリンタが挙げられる。
【０００９】
このフレーム構造体は、第１のフレーム部と第１の支持部とを備える。第１のフレーム部は、用紙を収容する給紙カセットの一部をぴったりと受け入れるように形成される第１の空間を画定する。ここで、ぴったりと受け入れるとは、第１の空間内に収められた給紙カセットがガタつくことがない状態をいう。第１の空間が給紙カセットの一部をぴったりと受け入れるためには、第１の空間の断面の大きさが給紙カセットの断面の大きさよりも極端に大きくならないように設計することが必要である。第１の空間は、用紙搬送路に連続するとともに上方に開放するように構成される。このため、上方から第１の空間に用紙カセットを挿入することができ、挿入された用紙カセットから用紙搬送路へと用紙を搬送することができる。
【００１０】
第１の支持部は、第１の空間を選択的に閉塞するための蓋部材を回動自在に支持するように構成される。蓋部材の例として、不使用時に第１の空間を覆う上蓋が挙げられる。また、第１の支持部は、第１のフレームに接続される。ここで、接続されるとは、第１の支持部が第１のフレームに直接接続される場合、および第１の支持部が別の部材を介在させて第１のフレームに間接的に接続される場合の両方を含むものとする。
【００１１】
そして、第１の支持部は、第１の空間内に張り出さないように構成される。このため、第１の支持部を設けたことが原因で、給紙カセットを第１の空間に装着できなくなることがない。
【００１２】
この構成においては、第１の空間に用紙カセットを装着する際に第１の支持部が邪魔になることがなく、しかも、第１の支持部に蓋部材を装着する際に第１の空間が邪魔になることがない。このため、給紙カセットまたは蓋部材を任意にフレーム構造体に取り付けて使用することができる。その結果、装置のコンパクト化に適したフレーム構造体および比較的大きな用紙トレイの装着に適したフレーム構造体を、それぞれ別個に設計し製作する必要がなくなる。
【００１３】
なお、第１のフレーム部に設けられた軸受け孔によって第１の支持部を構成し、さらに、この軸受け孔によって第１の空間内の給紙カセットを係止するようにすれば、構成部品を減少させ易くなる。
【００１４】
また、第２のフレーム部と第２の支持部とをさらに備える。第２のフレーム部は、第１の空間から上部排出口までの間に略Ｕ字状に配置される用紙搬送路を画定する。第２の支持部は、第１の空間と上部排出口の間に設けられており、給紙されるべき用紙と排出された用紙とを仕切るための仕切り部材を回動自在に支持するように構成される。
【００１５】
（２）本発明に係る画像記録装置は、用紙搬送路に沿って搬送される用紙に画像記録処理を行なう画像記録装置である。画像記録装置は、（１）に記載のフレーム構造体と、蓋部材と、用紙搬送機構とを備える。蓋部材は、第１の支持部に回動自在に支持されており、第１の位置および第２の位置の間で往復移動自在に構成される。第１の位置は、蓋部材が第１の空間を閉塞する位置である。第２の位置は、蓋部材が第１の空間を開放し、かつ、第１の空間に置かれた用紙を下から支持する位置である。蓋部材は、第１の位置に配置されたときに、画像記録装置の上方に開放した他の開口部を覆うように構成されることが好ましい。用紙搬送機構は、第２の位置に配置された蓋部材に置かれた用紙を、用紙搬送路に沿って搬送するように構成される。
【００１６】
（３）画像記録装置の好ましい実施形態として、蓋部材および仕切り部材がフレーム構造体に対して着脱自在になるように、フレーム構造体を弾性体によって構成しても良い。
【００１７】
（４）画像記録装置の好ましい実施形態として、フレーム構造体が、上部に設けられた原稿挿入口を始点とする原稿搬送路を画定する第３のフレーム部をさらに備え、かつ、蓋部材が、第１の位置に配置された時に、第１の空間および原稿挿入口の両方を覆うように構成されることが挙げられる。
【発明の効果】
【００１８】
本発明によれば、装置のコンパクト化に適し、しかも比較的大きな用紙トレイの装着にも適したフレーム構造体を実現することができる。
【発明を実施するための最良の形態】
【００１９】
以下に、本発明の実施形態について図面に基づいて説明する。図２（Ａ）および図２（Ｂ）は、本発明の画像記録装置の実施形態に係るファクシミリ装置１の斜視図である。ここでは、本発明のフレーム構造体がファクシミリ装置１に適用される例を説明するが、本発明のフレーム構造体はインクジェットプリンタ等の画像記録装置にも適用することが可能である。
【００２０】
ファクシミリ装置１は、装置本体２０と図示しない通話部とを備える。装置本体２０は、ベースキャビネット６２、外装部材６１、フレーム構造体１０、および蓋部材３０を備える。ベースキャビネット６２、外装部材６１、および蓋部材３０によって、フレーム構造体１０が覆われる。なお、図２（Ａ）は、蓋部材３０が閉じた状態のファクシミリ装置１を示しており、図２（Ｂ）は蓋部材３０が開いた状態のファクシミリ装置１を示している。
【００２１】
図３を用いて、装置本体２０の内部の構成を説明する。装置本体２０の内部には、フレーム構造体１０が配置される。フレーム構造体１０は、用紙を収容する給紙カセットの下端部をぴったりと受け入れて支持する第１の空間１２を構成する第１のフレーム部１１を備える。また、フレーム構造体１０は、第１の空間１２と用紙排出口５３との間に略Ｕ字状に形成される用紙搬送路１４を画定する第２のフレーム部１３を備える。第２のフレーム部１３における第１の空間１２の近傍には、分離パッド５４と給紙ローラ５５とが互いに接触するように設けられる。
【００２２】
第１の空間１２は、用紙搬送路１４に連続するように構成される。また、第１の空間１２は、上方に開放するように構成される。
【００２３】
第１のフレーム部１１の近くに、蓋部材３０を回動自在に支持するように構成された第１の支持部３１が設けられる。第１の支持部３１は、第１の空間１２内に張り出さないように構成される。この構成は、第１の空間１２に給紙カセットを挿入する際を便宜を考慮したものである。
【００２４】
フレーム構造体１０は、第１の空間１２および用紙排出口５３の間に配置された第２の支持部７１を備える。第２の支持部７１は、これから用紙搬送路１４に送られる用紙と用紙排出口５３から排出された用紙とを仕切るための仕切り部材７０を回動自在に支持するように構成される。
【００２５】
さらに、フレーム構造体１０は、原稿を案内する原稿搬送路１６を画定する第３のフレーム部１５を備える。第３のフレーム部１５には、原稿搬送ローラ４４が回動自在に取り付けられる。原稿搬送ローラ４４は、原稿搬送路１６中の原稿を下流に搬送する。さらに、第３のフレーム部１５には、原稿搬送ローラ４４に向かい合うように配置された分離ゴム板４５が設けられる。分離ゴム板４５は、原稿搬送ローラ４４に接触するように配置されており、原稿搬送路１６に複数の原稿が同時に搬送されることを防止する。なお、原稿搬送路１６は、装置本体２０上部に位置する原稿挿入口４２から、装置本体２０の前方下部の原稿排出口４３までの間に形成される。
【００２６】
装置本体２０は、画像読取部４０および画像記録部５０を内蔵する。画像読取部４０は、原稿搬送路１６に沿って配置されており、イメージセンサ４６および背面ローラ４７を備える。イメージセンサ４６は、原稿搬送路１６に沿って搬送される原稿の画像を読み取る。背面ローラ４７は、原稿搬送路１６に沿って搬送される原稿をイメージセンサ４６に押し当てつつ搬送する。画像記録部５０は、用紙搬送路１４に沿って搬送される用紙などのシートに画像記録処理を行なう。画像記録部５０は、用紙搬送路１４を挟んで向かい合うように配置されたプラテンローラ５６およびサーマルヘッド５７を備える。また、画像記録部５０は、プラテンローラ５６とサーマルヘッド５７との間にその一部が配置されるように構成されたインクフィルム５８を備える。インクフィルム５８は、用紙の搬送速度に対応する速度で送り出し側ロールから巻き取りロールに搬送されるように構成される。
【００２７】
用紙搬送路１４における画像記録部５０の下流には、用紙排出ローラ５９が配置される。用紙排出ローラ５９は、用紙排出口５３から用紙を上方に向けて排出する。
【００２８】
外装部材６１は、フレーム構造体１０の前側を覆うように配置される。外装部材６１に覆われていないフレーム構造体１０の後側は、蓋部材３０によって選択的に覆われる。蓋部材３０は、フレーム構造体１０の後部を覆う第１の位置（図３参照。）と、開口部６２を開放する第２の位置（図４参照。）との間で、第１の支持部３１を支点にして回動自在にされている。本実施形態では、第１の支持部３１に軸部を形成し、蓋部材３０に軸受けとなる凹部を形成しているが、この構成には限定されない。例えば、蓋部材３０に軸部を形成し、第１の支持部３１に軸受けとなる凹部を形成するようにしても良い。
【００２９】
ここで、フレーム構造体１０の上部の構成を簡単に説明する。フレーム構造体１０の上部には、第１の空間１２、用紙排出口５３、および原稿挿入口４２が、後側から前側にかけてこの順序に配置される。蓋部材３０は、少なくとも第１の空間１２に覆うように構成される。ただし、蓋部材３０によって第１の空間１２および用紙排出口５３を覆うことが好ましい。さらに好ましくは、蓋部材３０によって第１の空間１２、用紙排出口５３、および原稿挿入口４２のすべてが覆われるように構成すると良い。本実施形態では、蓋部材３０によって第１の空間１２、用紙排出口５３、および原稿挿入口４２のすべてが覆われるように蓋部材３０が構成されている。さらに、蓋部材３０は、第１の位置に配置されたとき、外装部材６１の外面と連続するように形成された外面を有している。
【００３０】
蓋部材３０と仕切り板７０とは連動するように構成される。仕切り板７０は、第２の支持部７１を軸にして、用紙排出口５３を覆う閉塞位置および仕切り部材として機能する使用位置との間で回動自在にされている。仕切り板７０は、閉塞位置に位置するときにフレーム構造体１０に収納される。
【００３１】
仕切り板７０は、連結部材８０によって蓋部材３０と連結されている。図５は、連結部材８０を示す構成図である。連結部材８０は、仕切り板７０に回動自在に支持される軸部８１、長手方向に形成された長孔８２を備える。長孔８２は、軸部８１の反対側に凹部８３が形成される。長孔８２内には、蓋部材３０から突出するように形成された突起部３３がスライド自在の状態で挿入される。
【００３２】
図３に示すように、蓋部材３０が第１の位置に配置されているとき、仕切り板７０は、蓋部材３０の下側でフレーム構造体１０内に収納されている。また、図４に示すように、蓋部材３０が第２の位置に回動するときに、蓋部材３０から連結部材８０を介して仕切り板７０に力が加えられ、仕切り板７０が使用位置に移動する。そして、蓋部材３０が第２の位置に配置され、仕切り板７０が使用位置に配置されたとき、蓋部材３０の突起部３３が連結部材８０の凹部８３に嵌まり込むことによって、蓋部材３０と仕切り板７０との間に所定の間隔が保持される。なお、蓋部材３０が閉じられるときには、仕切り板７０は蓋部材３０に押されることによって、蓋部材３０と同方向に回動して閉塞位置に移動する。
【００３３】
蓋部材３０は、第２の位置に配置された時に、原稿挿入口４２に挿入されるべき原稿、第１の空間１２に挿入されるべき用紙、および、用紙排出口５３から排出された用紙を下から支持する。具体的には、第１の空間１２に挿入されるべき画像記録前の用紙は、蓋部材３０に直接的に支持される。用紙排出口５３から排出された画像記録後の用紙は、下部については仕切り板７０で支持されるとともに、上部については画像記録前の用紙を挟んで間接的に蓋部材３０によって支持される。また、原稿挿入口４２に挿入されるべき原稿は、画像記録前の用紙および画像記録後の用紙を挟んで間接的に蓋部材３０によって支持される。
【００３４】
図６は、蓋部材３０および仕切り板７０の概略の構成を示す正面図である。蓋部材３０は、延長トレイ３２を有している。延長トレイ３２は、蓋部材３０が第２の位置に配置されたとき、画像記録前の用紙の搬送方向において上流側に伸長自在に形成されている。例えば、延長トレイ３２は、３個の部材から構成され、３段階に伸長自在に形成されている。
【００３５】
仕切り板７０は、用紙倒れ防止板７２を有していることが好ましい。用紙倒れ防止板７２は、用紙の搬送方向に直交する方向（用紙の幅方向）において仕切り板７０の一方の端部に第１の端部７３を軸支されている。そして、用紙倒れ防止板７２は、一端部７３を支点にして０〜９０度の範囲で回動自在になるように仕切り板７０に支持されている。用紙倒れ防止板７２は、使用時には、仕切り板７０に対して９０度の角度を持つ位置で、蓋部材３０に支持されている給紙前の用紙が前方に倒れることを防止する。なお、ここでは、仕切り板７０の一方の端部に用紙倒れ防止板７２を設ける例を示したが、仕切り板７０の両端部にそれぞれ用紙倒れ防止板７２を設けても良い。
【００３６】
再び図４を用いて、ファクシミリ装置１の動作を簡単に説明する。用紙は、積層された状態で第１の空間１２に挿入され、先端が分離パッド５４に突き当たった状態で収容される。そして、給紙ローラ５５が回転すると、給紙ローラ５５と分離パッド５４とによって、給紙ローラ５５に最も近い１枚の用紙のみが用紙搬送路１４に向けて送り出される。本実施形態では、給紙ローラ５５と分離パッド５４とによって本発明の用紙搬送機構が構成される。
【００３７】
用紙は、プラテンローラ５６とインクフィルム５８との間に送り込まれ、サーマルヘッド５７によってインクフィルム５８のインクを熱転写され、これによって画像を形成される。
【００３８】
ファクシミリ装置１において、フレーム構造体１０に蓋部材３０および仕切り板７０が装着されている場合には、ファクシミリ装置１の不使用時に蓋部材３０および仕切り板７０をフレーム構造体１０から取り外す必要がない。また、不使用時におけるファクシミリ装置１のコンパクト化を図ることができる。さらに、不使用時に、原稿挿入口４２、第１の空間１２および用紙排出口５３のすべてを蓋部材３０で覆い、フレーム構造体１０の内部に塵や埃が入り込むことを防止できる。
【００３９】
続いて、フレーム構造体１０に、比較的多くの用紙を収容できる給紙カセットを装着する方法を説明する。フレーム構造体１０は、蓋部材３０以外の給紙カセットを取り付られるように構成されている。フレーム構造体１０に形成される第１の空間１２は、給紙カセットの下部をぴったりと受け入れられるように構成されている。本実施形態では、第１の空間１２に給紙カセットを挿入する前に、図７に示すように、蓋部材３０および仕切り板７０をフレーム構造体１０から取り外すことが好ましい。本実施形態では、この取り外し作業の便宜を考慮して、フレーム構造体１０が弾性部材で構成されている。このため、フレーム構造体１０に力を加えて弾性変形させることによって、蓋部材３０および仕切り板７０の取り外し作業が容易に行なわれる。なお、蓋部材３０および仕切り板７０の存在がフレーム構造体１０に給紙カセットを装着する作業に支障を来さない場合には、蓋部材３０および仕切り板７０をフレーム構造体１０から取り外さなくとも良い。
【００４０】
図８は、給紙カセット３５Ａをフレーム構造体１０に取り付けた状態を示している。給紙カセット３５Ａは、蓋部材３０と比較して２〜３倍の量の用紙を安定して支持するように設計されている。給紙カセット３５Ａは、その下端部が第１のフレーム部１１によって支持される。このとき、給紙カセット３５Ａの下端部の外周と、第１のフレーム部１１の内周とが係合するように、給紙カセット３５Ａおよび第１のフレーム部１１にそれぞれ係合部を設けることが好ましい。このように係合部を設けることによって、給紙カセット３５Ａをフレーム構造体１０に安定した状態で装着することが可能になる。
【００４１】
図９（Ａ）は、給紙カセット３５Ａの構成を示している。給紙カセット３５Ａは、位置決め片３６Ａおよび抜け止め防止爪３７Ａを備える。位置決め片３６Ａは、第１のフレーム部１１に係合することによって、第１の空間１２内で給紙カセット３５Ａの位置決めを行なう。抜け止め防止爪３７Ａは、第１のフレーム部１１に係合することによって、第１の空間１２から給紙カセット３５Ａが容易に脱着しないようにする。
【００４２】
図９（Ｂ）は、給紙カセット３５Ｂの構成を示している。給紙カセット３５Ｂの基本構成は給紙カセット３５Ａと同様である。ただし、給紙カセット３５Ｂは、用紙自動給紙機構３８を備える点で、給紙カセット３５Ａと相違している。用紙自動給紙機構３８は、給紙カセット３５Ｂから用紙搬送路１４に用紙を自動的に送り出す機構である。給紙カセット３５Ｂをフレーム構造体１０に取り付ける場合には、原則として、フレーム構造体１０から用紙自動給紙パッド取付フレーム１７を取り外す必要がある。これは、用紙自動給紙機構３８の用紙自動給紙パッドと、用紙自動給紙パッド取付フレーム１７の用紙自動給紙パッドとが干渉するからである。この取り外し作業は、図１０に示すように、フレーム構造体１０の孔１８から用紙自動給紙パッド取付フレーム１７の凸部１７を取り外すことによって行なわれる。
【００４３】
なお、好ましくは、給紙カセット３５Ｂを第１の空間１２内に挿入した時に、用紙自動給紙パッド取付フレーム１７の一部が、用紙自動給紙機構３８と干渉しないように自動的に退避する機構を採用すると良い。このような機構を用いれば、用紙自動給紙パッド取付フレーム１７をフレーム構造体１０から取り外すことなく給紙カセット３５Ｂをフレーム構造体１０に装着することが可能になる。
【００４４】
本実施形態に係るフレーム構造体１０を用いることによって、ファクシミリ装置１のコンパクト化を実現しつつ、必要に応じて、比較的用紙収容能力が高い給紙カセット３５Ａ、３５Ｂをファクシミリ装置１に装着することが可能になる。
【００４５】
続いて、蓋部材３０と仕切り板７０とを連動させる機構の他の例を説明する。図１１〜図１３は、他の実施形態に係るファクシミリ装置１Ａの側面視断面の一部を拡大して示す説明図である。ファクシミリ装置１Ａは、蓋部材３０と仕切り板７０とを連動させる機構を除いて、ファクシミリ装置１と同様に構成されている。
【００４６】
図１１に示すように、ファクシミリ装置１Ａでは、蓋部材３０Ａはレバー３４を備える。レバー３４は、第１の支持部３１を頂点とした略Ｌ字状に形成される。また、レバー３４は、第２の位置に配置された状態において第１の支持部３１の近傍から前方に突き出るように構成される。
【００４７】
仕切り板７０Ａは、第１のレバー７４および第２のレバー７５を備える。第１のレバー７４は、第２の支持部７１を挟んで用紙倒れ防止板７２と反対側に突き出るように構成される。第２のレバーは、第１のレバー７４に対して背面側に略直角方向に突き出るように構成される。
【００４８】
また、ファクシミリ装置１Ａは、開放レバー９０をさらに備えている。開放レバー９０は、蓋部材３０Ａと仕切り板７０Ａとの中間の下方に配置されている。開放レバー９０は、回動軸９１を支点として回動自在にされている。開放レバー９０の上端部９２は、蓋部材３０Ａのレバー３４と仕切り板７０Ａの第１レバー７４との間に配置されている。
【００４９】
蓋部材３０Ａが、第１の支持部３１を支点として時計方向に、第１の位置から第２の位置へ向けて回動するとき、レバー３４は、開放レバー９０の上端部９２を前方に押す。これによって、開放レバー９０は、回動軸９１を支点として反時計方向に回動する。このため、開放レバー９０の上端部９２は前方に変位する力を受け、仕切り板７０Ａの第１レバー７４を前方に押す。これによって、仕切り板７０Ａは、第２の支持部７１を支点として時計方向に、閉塞位置から使用位置へ向けて回動する。
【００５０】
図１２に示すように、ファクシミリ装置１Ａは、さらに回転部材１００を備えている。回転部材１００は、回転軸１０１を支点として回動自在にされている。また、回転部材１００は、スプリング１１０によって、図１２における時計方向（矢印Ｐ方向）に回転する力を常に受けている。
【００５１】
回転部材１００は、仕切り板７０Ａの第２レバー７５を前方に押し、これによって仕切り板７０Ａは、図１２において時計方向に回動する力を受ける。このため、仕切り板７０Ａは、使用位置に配置されたとき、蓋部材３０Ａに保持されている画像記録前の用紙を所定の力で蓋部材３０Ａに押え付ける。これによって、画像記録前の用紙の前方へ倒れることが防止される。
【００５２】
また、画像記録前の用紙を補給する場合は、仕切り板７０Ａは、スプリング１１０の力に抗して手動で図１２における反時計方向（矢印Ｑ方向）に回動される。そして、用紙の補給後に、仕切り板７０Ａから手が離され、又は、手の力が緩められると、仕切り板７０Ａは、スプリング１１０の力によって図１２における時計方向（矢印Ｒ方向）に回動し、画像記録前の用紙を蓋部材３０Ａに押え付ける。
【００５３】
図１３に示すように、蓋部材３０Ａが第２の位置から第１の位置へ向けて回動するとき、仕切り板７０Ａは、先端部を蓋部材３０Ａに押されることで、使用位置から閉塞位置へ向けて、蓋部材３０Ａに連動して回動する。
【００５４】
ファクシミリ装置１Ａによれば、仕切り板７０Ａを蓋部材３０Ａに連動させて回動させることができる。このため、ファクシミリ装置１Ａの使用時と不使用時とで、蓋部材３０Ａを開閉するのみで仕切り板７０Ａをも開閉することができ、操作性が向上する。
【００５５】
なお、画像記録ファクシミリ装置１は、用紙の他に、ＯＨＰフィルムなどのシートに画像を形成することもできる。
【００５６】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００５７】
【図１】従来の画像記録装置の構成を示す斜視図である。
【図２】本発明の画像記録装置の実施形態に係るファクシミリ装置の外観構成を示す斜視図である。
【図３】蓋部材が第１の位置にある状態のファクシミリ装置の構成を示す側面視の断面図である。
【図４】蓋部材が第２の位置にある状態のファクシミリ装置の構成を示す側面視の断面図である。
【図５】連結部材を示す構成図である。
【図６】蓋部材および仕切り板の概略構成を示す正面図である。
【図７】フレーム構造体の上部の構成を示す斜視図である。
【図８】給紙カセットが装着されたファクシミリ装置の構成を示す図である。
【図９】給紙カセットの概略構成を示す図である。
【図１０】フレーム構造体の構成を示す斜視図である。
【図１１】他の実施形態に係るファクシミリ装置の側面視断面の一部を拡大して示す説明図である。
【図１２】ファクシミリ装置の側面視断面の一部を拡大して示す説明図である。
【図１３】ファクシミリ装置の側面視断面の一部を拡大して示す説明図である。
【符号の説明】
【００５８】
１−ファクシミリ装置
１０−フレーム構造体
１１−第１のフレーム部
１２−第１の空間
２０−装置本体
３０−蓋部材
３１−第１の支持部
４０−画像読取部
５０−画像記録部
７０−仕切り板
【図１】
0004729399.tif 000002
【図２】
0004729399.tif 000003
【図３】
0004729399.tif 000004
【図４】
0004729399.tif 000005
【図５】
0004729399.tif 000006
【図６】
0004729399.tif 000007
【図７】
0004729399.tif 000008
【図８】
0004729399.tif 000009
【図９】
0004729399.tif 000010
【図１０】
0004729399.tif 000011
【図１１】
0004729399.tif 000012
【図１２】
0004729399.tif 000013
【図１３】
0004729399.tif 000014